(57)【要約】【課題】部品点数を減少でき、簡易な設計で安価に生産できる光伝送装置を提供することを課題とする。また、当初の目的である、受発光部と光ファイバーケーブルのプラグ部との光学的／機械的接合部分へのホコリ、異物の侵入防止や光漏れに対する目の保護が可能になる。【解決手段】受光または発光の少なくともいずれかを行う光素子を保持し、かつ、光信号伝送用のプラグを挿入するプラグ挿入穴を備えた筐体と、前記プラグ挿入穴を開閉するシャッターを有するシャッター機構とを備えた光伝送装置において、前記シャッター機構は、筐体に設けられた取り付け部に、外部から取り付け可能に構成されてなることにある。【選択図】図３
2006023393.tif 000002
【特許請求の範囲】
【請求項１】
受光または発光の少なくともいずれかを行う光素子を保持し、かつ、光信号伝送用のプラグを挿入するプラグ挿入穴を備えた筐体と、前記プラグ挿入穴を開閉するシャッターを有するシャッター機構とを備えた光伝送装置において、
前記シャッター機構は、筐体に設けられた取り付け部に、外部から取り付け可能に構成されてなることを特徴とする光伝送装置。
【請求項２】
前記シャッター機構は、前記シャッターを閉じる方向に付勢する弾性体を備え、前記シャッターは、弾性体を保持する保持手段を備え、前記シャッターの回転軸は、前記筐体の取り付け部に形成された軸受け部に嵌合される請求項１に記載の光伝送装置。
【請求項３】
前記弾性体はねじりコイルバネからなり、前記保持手段は、バネ保持用の支持部とバネ外れ防止用の凸部を備えた請求項２に記載の光伝送装置。
【請求項４】
前記ねじりコイルバネの可動側の腕の先端以外の部位が、シャッターの開閉時に筐体の内側面を摺動する請求項３に記載の光伝送装置。
【請求項５】
前記筐体内部のバネ腕摺動部に前記ねじりコイルバネの腕の位置固定用のガイド凹部を設けた請求項３又は４に記載の光伝送装置。
【請求項６】
前記シャッター裏面に、前記ねじりコイルバネの腕が係合してシャッターの上下方向の位置を固定する固定凹部を設けた請求項５に記載の光伝送装置。
【請求項７】
前記筐体にシャッター飛び出し防止用の位置決め手段を設けた請求項１〜６の何れかに記載の光伝送装置。
【請求項８】
前記筐体の転軸受け部に、シャッター回転軸の外れ防止手段を設けた請求項２〜７の何れかに記載の光伝送装置。
【請求項９】
前記シャッターが開かれたプラグ挿入時に、前記弾性体の弾性力により、シャッターがプラグを筐体の内面に押圧する構成である請求項１〜８の何れかに記載の光伝送装置。
【請求項１０】
前記シャッター機構がねじりコイルバネで構成された請求項１又は２に記載の光伝送装置。
【請求項１１】
前記シャッターの回転軸がねじりコイルバネのコイル部で構成され、シャッター機構は、ねじりコイルバネと一体化した金属線と樹脂板とから構成された請求項１又は２に記載の光伝送装置。
【請求項１２】
前記シャッター裏面に、ねじりコイルバネのコイル部外周に嵌合する保持用の凸部をシャッター裏面に一体成型により備えた請求項２に記載の光伝送装置。
【請求項１３】
前記ねじりコイルバネの位置ズレ防止用の凸部を設けた請求項１２に記載の光伝送装置。
【請求項１４】
前記シャッター機構は、前記シャッターを閉じる方向に付勢するねじりコイルバネを備え、ねじりコイルバネの腕の先端をシャッターに保持する構造にした請求項１に記載の光伝送装置。
【請求項１５】
弾性体が板状バネからなる請求項２に記載の光伝送装置。
【請求項１６】
前記シャッターと板バネを一体成型した請求項１５に記載の光伝送装置。
【請求項１７】
前記請求項１〜１６の何れかに記載の光伝送装置を備える電子機器。
【発明の詳細な説明】
【技術分野】
【０００１】
本発明はDVDプレーヤー、DVDレコーダー、TV、STB、AVレシーバ、および、パソコン、PDA、携帯電話などの電子機器に用いられる光伝送装置および電子機器に関する。
【背景技術】
【０００２】
近年、DVDに代表される民生機器において、光信号によるデジタル音声信号伝送が普及し、それらの送信部、受信部には、信号伝送を行わないときに、受発光部と光ファイバーケーブルのプラグ部との光学的／機械的接合部分へのホコリ、異物の侵入防止や光漏れに対する目の保護の機構が設けられている。
【０００３】
保護の機構として、従来から挿入部に保護キャップを装着するタイプやプラグの挿抜に応じて蓋が開閉するシャッター機構が用いられていた。最近では利便性や誤飲防止のためにこのシャッター機構のものが多く採用されている。
【０００４】
かかるシャッター機構を備えた光伝送装置は、受光または発光の少なくともいずれかを行う光素子を保持し、かつ、光信号伝送用のプラグを挿入するプラグ挿入穴を備えた筐体と、プラグ挿入穴を開閉するシャッターと、シャッターを閉じる方向に付勢するねじりコイルバネとを備えたものである（例えば、特許文献１参照）。
【０００５】
この光伝送装置は、プラグが挿入されていないときには、シャッターが、ねじりコイルバネにより、筐体内部から外側に向けて付勢され閉じた状態になっている。プラグが挿入されるに従い、シャッターが内側に押され、プラグが完全に挿入された状態では、光素子と光ファイバケーブルプラグ（以下、プラグとする）の光学系を損なうことなく、シャッターおよびねじりコイルバネが筐体に収納される。また、プラグが抜かれた場合には挿入時と逆で、ねじりコイルバネが元の形状に戻ろうとしてシャッターを筐体の外側に押す力が働き、最初の状態に戻る。
【特許文献１】特開２００３−３２２７６６号公報
【発明の開示】
【発明が解決しようとする課題】
【０００６】
前記従来の光伝送装置は、筐体が前部ハウジングと後部ハウジングとに２分割されており、シャッター機構を組み付ける際には、シャッター機構を前部ハウジング内部から取り付け、さらに前部ハウジングと後部ハウジングとを結合しなけばならない。このため、装置の組立構造が複雑であり、部品点数を十分に減らすまでには至っていない。
【０００７】
本発明は、上記の問題に鑑み発明されたもので、部品点数を減少でき、簡易な設計で安価に生産できる光伝送装置を提供することを課題とする。また、当初の目的である、受発光部と光ファイバーケーブルのプラグ部との光学的／機械的接合部分へのホコリ、異物の侵入防止や光漏れに対する目の保護に対しても十分に目的を達成する光伝送装置を提供することにある。
【課題を解決するための手段】
【０００８】
本発明は、上記課題を達成するために、なされたもので、その特徴は、受光または発光の少なくともいずれかを行う光素子を保持し、かつ、光信号伝送用のプラグを挿入するプラグ挿入穴を備えた筐体と、前記プラグ挿入穴を開閉するシャッターを有するシャッター機構とを備えた光伝送装置において、前記シャッター機構は、筐体に設けられた取り付け部に、外部から取り付け可能に構成されてなることにある。
【０００９】
そして、シャッターを有するシャッター機構を、筐体に設けられた取り付け部に、筐体外部から取り付けることができるため、シャッター機構の取り付けのために、筐体を分割する構成にする必要はなく、取り付け作業が容易かつ迅速に行えると共に、筐体構造の設計が簡単となり、最低限の部品点数で安価に生産できる。
【００１０】
また、本発明の前記シャッター機構は、前記シャッター機構は、前記シャッターを閉じる方向に付勢する弾性体を備え、前記シャッターは、弾性体を保持する保持手段を備え、前記シャッターの回転軸は、前記筐体の取り付け部に形成された軸受け部に嵌合されるのが好ましい。
【００１１】
前記弾性体はねじりコイルバネからなり、前記保持手段は、バネ保持用の支持部とバネ外れ防止用の凸部を備えている。かかる場合には、シャッター裏面の凸部により、シャッターの支持部に装着したバネが外れ難くなり、さらに組み立て性が向上する。
【００１２】
前記ねじりコイルバネの可動側の腕の先端以外の部位が、シャッターの開閉時に筐体の内側面を摺動する場合には、バネのハウジングとの摺動部にバネの切断面が接触しないことにより滑らかな摺動を得ることができる。摺動部のバネ腕の形状を曲げ形状にすることにより、さらに滑らかな摺動を得ることができる。
【００１３】
前記筐体内部のバネ腕摺動部に前記ねじりコイルバネの腕の位置固定用のガイド凹部を設けた場合には、シャッター開閉時にバネの可動側の腕が、ハウジングのガイド凹部に収まることにより、バネの摺動部が上下にずれることを防止することができる。しかも、前記シャッター裏面に、前記ねじりコイルバネの腕が係合してシャッターの上下方向の位置を固定する固定凹部を設けた場合には、ハウジングのガイド凹部と、シャッターの固定凹部と、ねじりコイルバネの両腕により、シャッターの高さ位置を固定することができ、シャッター開閉時にハウジングと回転軸以外の部位が接触しないようにすることができる。
【００１４】
前記筐体にシャッター飛び出し防止用の位置決め手段を設けた場合には、この位置決め手段をシャッター閉時のあたり面にすることにより、シャッターがホルダー前方に飛び出すことを防止することができる。
【００１５】
シャッターが開かれたプラグ挿入時に、前記弾性体の弾性力により、シャッターがプラグを筐体の内面に押圧する構成であるので、プラグと光伝送装置の公差範囲内のガタツキを抑え、信頼性の高い光伝送装置を提供できる。
【００１６】
シャッター機構がねじりコイルバネで構成された場合には、シャッター本体、回転軸および弾性体を、ねじりコイルバネで構成することにより、さらに部品点数を削減した安価な光伝送装置を提供することができる。
【００１７】
前記シャッターの回転軸がねじりコイルバネのコイル部で構成され、ねじりコイルバネと一体化した金属線と樹脂板から構成された場合には、筐体内部のシャッター開閉部にバネの腕が配置されなくなり、より信頼性の高い光伝送装置を提供することができる。
【００１８】
前記ねじりコイルバネのコイル部外周に嵌合する保持用凸部を、シャッター裏面に一体成型し、しかも、前記ねじりコイルバネの位置ズレ防止用の凸部を設けることにより、支持部にねじりコイルバネのコイル部を通す作業が不要となり、組み立てやすい構造の光伝送装置を提供することができる。
【００１９】
前記弾性体を板状バネから構成したり、前記シャッターと板バネを一体成型したりすることにより、生産効率の高い、組み立ての容易な光伝送装置を提供することができる。
【発明の効果】
【００２０】
本発明は、最低限の部品構成で、設計、および、取り扱いも容易で、安価でかつ信頼性の高い光伝送装置を提供することができる。
【発明を実施するための最良の形態】
【００２１】
１以下、本発明の実施形態について図面を用いて説明する。
（第一実施の形態）
図１は本発明の第一実施の形態の光伝送装置の正面図、図２は同側面図、図３（ａ）はシャッターが閉じた状態の断面平面図、図３（ｂ）はシャッターを開いた状態の断面平面図を示している。
【００２２】
図１〜図３に示すように、本実施の形態の光伝送装置１は、光を受光または発光する光素子２を保持すると共に、プラグが挿入される挿入口１５を備えた単体の筐体（以下、ハウジングという）１０と、この挿入口１５を開閉するシャッター機構１９とから主構成されている。シャッター機構１９は、シャッター２０と、このシャッター２０を閉じる方向に付勢する弾性体としてのねじりコイルバネ３０とからなる。
【００２３】
ハウジング１０は、光素子２と光ファイバーケーブルのプラグとが収容される収容部９と、シャッター２０を回転自在に保持する取り付け部１１とを備えるように一体成型されている。なお、光素子以外の上記部品がすべて組み込まれた状態のものを以下ホルダーという。
【００２４】
図４（ａ）〜（ｃ）に示すように、シャッター２０は、シャッター本体２１と、このシャッター本体２１の裏面に設けられた土台２２と、土台２２から上方に突設された支持軸２３と、支持軸２３の上方に所定間隔を有するように、シャッター本体２１の裏面に設けられたバネ外れ防止用の凸部２５と、シャッター本体２１の上下面にそれぞれ突設された回転軸２４、２４とからなる。これらシャッター本体２１、土台２２、支持軸２３、バネ外れ防止用の凸部２５および回転軸２４は、合成樹脂等から一体成型されている。土台２２と支持軸２３により、支持部が構成され、支持部およびバネ外れ防止用の凸部２５により保持手段が構成されている。なお、シャッター２０の表面には、プラグ挿入時にプラグのガイド溝となる凹部２９が形成され、裏面には、ねじりコイルバネ３０が係合する溝状の固定凹部２６が形成されている。
【００２５】
ねじりコイルバネ３０は、シャッター２０の支持軸２３に上方から外嵌されるコイル部３１と、ハウジング１０の内面を摺動する可動側の腕３２と、シャッター本体２１の固定凹部２６に係合する保持側の腕３３とからなる。保持側の腕３３は、シャッター２０の固定凹部２６に係合して固定されているため、ねじりコイルバネ３０はシャッター２０に対して上下方向に相対移動しないようになっている。可動側の腕３２の長さは、保持側の腕３３の長さよりも長い形状となっているが、同等であっても、その逆であってもよい。
【００２６】
シャッター２０のバネ外れ防止用の凸部２５は、不用意にねじりコイルバネ３０の保持側の腕３３が固定凹部２６から外れても、シャッター２０に装着されたねじりコイルバネ３０が、支持軸２３から外れるのを防止する。なお、このバネ外れ防止用の凸部２５の位置は、ねじりコイルバネ３０が外れるのを防止することができればどこに配置しても良い。
【００２７】
シャッター２０の回転軸２４、２４は、図５（ａ）および（ｂ）に示すように、ハウジング１０の一側に取り付けられている。具体的には、ハウジング１０の一端には、前記挿入口１５を形成する取り付け部１１が突設され、この取り付け部１１は、ハウジング１０の正面視において左側の側面が開口する略コの字状に形成されている。取り付け部１１の上下端部１１ａ、１１ｂには、左側からシャッター２０の回転軸２４が嵌合される溝状の軸受け部１２が、それぞれ形成されている。
【００２８】
各軸受け部１２の溝縁には、シャッター２０の回転軸２４が、軸受け部１２から外れるを防止すべく、外れ防止手段としての抜け止め凸部１３が設けられている。また、図２に示す如く、シャッター２０の閉塞時にシャッター２０の自由端側の位置決めを行えるように、ハウジング１０のシャッター２０回転軸根元付近には、シャッターの飛び出し防止用の位置決め凸部１４が設けられている。この位置決め凸部１４が、シャッター２０の裏面に当接することにより、シャッター２０の閉塞時にシャッターの自由端側がハウジング１０から飛び出さないようになっている。
【００２９】
ハウジング１０の内側面には、図１および図３に示すように、ねじりコイルバネ３０の可動側の腕３２が係合して摺動するように、V字型の溝部からなるガイド凹部１７が、可動側の腕３２の摺動方向に形成されている。なお、ねじりコイルバネ３０の可動側の腕３２の先端は、ハウジング１０と摺動する部分が針金の端面にならないように、屈曲されており、シャッター２０がスムーズに開閉するようになっている。
【００３０】
ホルダー状態で、ねじりコイルバネ３０の可動側の腕３２が、ハウジング１０のガイド凹部１７に係合し、また、保持側の腕３３が先述のシャッター本体２１裏面の固定凹部２６に係合しているため、シャッター２０の高さ方向の位置決めがされている。従って、開閉動作するシャッター２０を、ハウジング１０の取り付け部１１の上下端部１１ａ、１１ｂに接触しないようにすることができる。
【００３１】
次に、以上の構成からなる光伝送装置を組み立てる場合について説明する。まず、シャッター２０の支持軸２３に、ねじりコイルバネ３０を装着してシャッター機構１９を製作する（図４（ｂ）および（ｃ）参照）。コイルバネ３０の装着に際して、ねじりコイルバネ３０のコイル部３１を湾曲させながら支持軸２３に外嵌させることにより、バネ外れ防止用の凸部２５が支障となることはない。
【００３２】
このように組み付けられたシャッター機構１９を、ハウジング１０に備えられた軸受け部１２に嵌合させる。このとき、ねじりコイルバネ３０を予めハウジング１０内に収容し、可動側の腕３２をハウジング１０のガイド凹部１７に係合させておく。なお、可動側の腕３２の長さは、保持側の腕３３の長さよりも長い形状となっているので、可動側の腕３２を容易にガイド凹部１７に係合させることができる。
【００３３】
さらに、シャッター機構１９をハウジング１０の外側方から内側に向けて移動させることにより、各回転軸２４、２４を各軸受け部１２、１２に押し込む。シャッター２０の回転軸２４、２４は、抜け止め凸部１３を乗越えて通過し、軸受け部１２の基部に嵌合する（図５参照）。
【００３４】
次に、前記光伝送装置１を使用する場合について説明する。
【００３５】
シャッター２０の閉塞時には、ねじりコイルバネ３０の可動側の腕３２は、ハウジング１０の内側面（ガイド凹部１７）を押圧し、保持側の腕３３は、シャッター２０を閉塞する方向に付勢している（図３（ａ）参照）。プラグが挿入口１５を介してホルダーに挿入されると、プラグ挿入に伴いシャッター２０が回転軸２４、２４を中心にしてハウジング１０内側に回転し、ホルダー内部に収納される（図３（ｂ）参照）。このシャッター２０の回転に伴い、ねじりコイルバネ３０の可動側の腕３２は、ハウジング１０のガイド凹部１７を摺動し、プラグが完全に挿入された状態でハウジング１０内部にたわんだ状態で収納される。プラグを抜くと、ねじりコイルバネ３０の復元力により、シャッター２０が元の閉じた状態に戻る。
【００３６】
シャッター開閉時に、ねじりコイルバネ３０の可動側の腕３２が上下に動かずに水平方向のねじり運動になり、力の発散を防ぐことができ、シャッター開閉を確実かつスムーズに行うことができる。しかも、ねじりコイルバネ３０の各腕３２、３３を、ハウジング１０およびシャッター２０に係合させることにより、シャッター２０のハウジング１０に対する高さ方向の位置決めがなされているので、シャッター２０が自重でハウジング１０のシャッター開閉部の底面と接触することなく、開閉することができ、信頼性の高い部品を生産することができる。なお、ねじりコイルバネ３０の両腕の上下位置関係はどちらでも良い。
【００３７】
本実施例では、ねじりコイルバネ３０の可動側の腕３２を案内するガイド凹部１７を、V字型の溝にしたが、可動側の腕がシャッター開閉により上下に動かない構造であれば、どのような形にしてもよい。例えば、図６に示すように、ねじりコイルバネ３０の可動側の腕３２を上方に略９０°屈曲させ、その屈曲部３２ａを、ガイド凹部１７の平面に形成された底面（バネ摺動面）１７ａに摺動させるようにしてもよい。かかる場合には、ガイド凹部１７の底面１７ａにおける屈曲部３２ａの先端が位置する部分に、逃がし凹部１８をガイド凹部１７に沿って形成するのが好ましい。
【００３８】
このように、ねじりコイルバネ３０の可動側の腕３２が上下に動かない構造にして、さらに、その先端が当接しないような逃がし凹部１８をハウジング１０側に形成することにより、ねじりコイルバネ３０の可動側の腕３２の先端がハウジング１０のバネ摺動面１７ａに平行になっていても、腕の端面がハウジング１０と接触することなく摺動することができる。
【００３９】
前記シャッターの飛び出し防止構造としては、ハウジング１０に位置決め凸部１４を一体に設けたが、これに限らない。位置決め凸部１４と接触するシャッター２０裏面に凸部を設け、シャッター閉時にハウジング１０と接触し、シャッター２０がハウジング１０から飛び出さないようにしても良い。また、図７に示すように、シャッター２０の回転軸２４の断面形状の一部を角形状（非円形）に形成し、シャッター２０がハウジング１０の外側方向に開こうとするときに、シャッター２０の回転軸２４の平坦面２４ａが、ハウジング１０の軸受け部１２に面で当接することにより、シャッター２０の飛び出し防止構造とすることができる。
【００４０】
図８（ａ）および（ｂ）は、第一の実施形態の光伝送装置１において、ねじりコイルバネ３０のコイル部３１の軸径を大きくし、また、ハウジング１０に備えられた軸受け部１２をホルダーの中央側まで深くした変形例である。プラグ４０は、プラグ挿入部４１にプラグ突起４２を備えるため、プラグ挿入時にプラグ４１が上下方向にガタ付かない構成になっているが、プラグ４０の横方向に公差の範囲内でガタ付きが生じるものがある。
【００４１】
そこで、ねじりコイルバネ３０のコイル部３１の軸径を、プラグ挿入時にハウジング１０とシャッター２０とプラグ挿入部４１がそれぞれ干渉する大きさに設定する。この結果、図８（ｂ）に示すように、コイルバネ３０のコイル部３１のバネ性を利用して、プラグ挿入時にバネ３０の反発力でシャッター２０をプラグ挿入部４１側面（矢印方向）に押圧すことにより、プラグ４０のガタツキを防止することができる。
（第二実施の形態）
図９は、本発明のシャッター機構１９の第二実施の形態を示す。図９（ａ）は、ねじりコイルバネでシャッター２０および弾性体を一体に構成したシャッター機構を示す。回転軸２４、２４が、前記ねじりコイルバネ３０のコイル部３１に相当する機能を備える。回転軸２４を形成するねじりコイルバネの先端部は、ハウジング１０側に固定される。また、シャッター本体２１部分もコイルバネと同じ部材で構成することにより、それが、シャッターの役割を果たすため、これまでのシャッターが不要になる。
【００４２】
また、図９（ｂ）および（ｃ）に示すように、シャッター２０の回転軸２４、２４および、シャッター枠２７をねじりコイルバネで構成し、その枠２７にシャッター本体に相当する樹脂板２１を嵌合する構造にしてもよい。
（第三実施の形態）
図１０（ａ）〜（ｂ）に示す本発明の第三実施の形態は、シャッター２０の裏面に、ねじりコイルバネ３０のコイル部３１を外嵌保持する一対のフック（保持用の凸部）２８，２８を設け、前記支持部が不要で組み立てやすい構造とした。また、ねじりコイルバネ３０が位置ずれを起こさないように、フック２８，２８のない側にストッパ（位置ズレ防止用の凸部）２９を設け、ねじりコイルバネ３０がずれない構造とした。
【００４３】
図１１（ａ）〜（ｂ）は、前記第三実施の形態の変形例を示す。本変形例は、ねじりコイルバネ３０の保持側の腕３３を、シャッター本体２１の裏面に突設された保持部２８ａに嵌合固定する構造にし、支持部が不要で組み立てやすい構造とした。また、ねじりコイルバネ３０が位置ずれを起こさないようにコイル部３１が配置される周囲に凸部２９を設け、ねじりコイルバネ３０が位置ずれを起こさない構造とした。
（第四実施の形態）
図１２および図１３は、本発明の第四実施の形態を示す。本実施の形態は、弾性体を板バネ３０から構成し、それをハウジング１０に組み込むものである。板バネ３０の一端３０ａは、回転軸２４に対してシャッター２０の自由端側に設けられた嵌合部２８ｂに固定保持されている。また、板バネ３０の他端は、自由端とされ、回転軸２４よりもシャッター２０の他端側まで延設されている。そして、板バネ３０の自由端側は、ハウジング１０の側壁先端に形成された傾斜面１０ａを押圧しているので、プラグが挿入されていない場合、板バネ３０の弾性力により、シャッター２０は閉状態を維持する（図１２（ａ）参照）。プラグが挿入された場合、板バネ３０が弾性変形に抗してたわみながらハウジング１０の内側にシャッター２０と板バネ３０が収納される（図１２（ｂ）および（ｃ）参照）。
【００４４】
なお、本実施形態の板バネ３０は、一端側が固定され、かつ、他端側がシャッター回転軸よりも飛び出した長さの板バネを用いている。また、シャッター２０に板バネ３０を取り付ける構造について、個々の部品を作って、組み立てても良いが、シャッター３０の成型時にインサート成型することが可能である。インサート成型することにより、組み立て工程を削減することが可能になる。なお、ハウジング成型時に板バネをハウジングにインサート成型することも可能であるが、形状の小さいシャッターにインサート成型することで、一回の成型あたりの数量を多くすることができ、より、効率的な生産を行うことが可能になる。
【図面の簡単な説明】
【００４５】
【図１】本発明の第一実施の形態の光伝送装置の正面図である。
【図２】同側面図である。
【図３】（ａ）は、同シャッターの閉塞状態を示す断面平面図、（ｂ）は、同シャッターの開放状態を示す断面平面図である。
【図４】第一実施形態の光伝送装置に使用されるシャッター機構を示し、（ａ）は正面図、（ｂ）は側面図、（ｃ）は背面図である。
【図５】（ａ）は第一実施形態の光伝送装置の平面図、（ｂ）は同拡大平面図である。
【図６】ねじりコイルバネの可動側の腕が、ハウジングのガイド凹部に接触した状態を示す要部断面図である。
【図７】図５（ｂ）の変形例を示す拡大平面図である。
【図８】第一の実施形態の光伝送装置の変形例を示し、（ａ）はプラグ挿入前の断面平面図、（ｂ）はプラグ挿入後の断面平面図である。
【図９】本発明の第二実施の形態のシャッター機構を示し、（ａ）は正面図、（ｂ）は正面図、（ｃ）は（ｂ）の側面図である。
【図１０】本発明の第三実施の形態のシャッター機構を示し、（ａ）は断面平面図、（ｂ）は背面図、（ｃ）は底面図である。
【図１１】同シャッター機構の他の例を示し、（ａ）は背面図、（ｂ）は一部破断を含む平面図、（ｃ）は正面図である。
【図１２】本発明の第四実施の形態を示し、（ａ）〜（ｃ）は、板バネをシャッターに保持する構造の光伝送装置の断面図である。
【図１３】同シャッター機構を示し、（ａ）は背面図、（ｂ）は要部断面図である。
【符号の説明】
【００４６】
２  光素子
１０  ハウジング（筐体）
１１  取り付け部
１２  軸受け部
１３  外れ防止手段
１４  位置決め手段
１５  プラグ挿入穴
１７  ガイド凹部
１９  シャッター機構
２０  シャッター
２４  回転軸
２５  バネ外れ防止用の凸部
２６  固定凹部
２８  保持用の凸部（フック）
３０  ねじりコイルバネ（弾性体）
【図１】
2006023393.tif 000003
【図２】
2006023393.tif 000004
【図３】
2006023393.tif 000005
【図４】
2006023393.tif 000006
【図５】
2006023393.tif 000007
【図６】
2006023393.tif 000008
【図７】
2006023393.tif 000009
【図８】
2006023393.tif 000010
【図９】
2006023393.tif 000011
【図１０】
2006023393.tif 000012
【図１１】
2006023393.tif 000013
【図１２】
2006023393.tif 000014
【図１３】
2006023393.tif 000015